(57)【要約】【課題】宝飾品に直接取り付けることが可能で、取り付けに際し、非接触電子タグ構成部品である通信用アンテナ、半導体部品に損傷を与えない非接触電子タグを提供すること。【解決手段】非接触電子タグ100は、本体部110、Ｔ字型突起120、２つの突起112、113を有し、本体部110は直線の辺111を有している。Ｔ字型突起120は頭頂部121と接続部122により構成され、Ｔ字型突起120の頭頂部121は接続部122により本体部110の辺111に接続され、２つの突起112、113は辺111の両端に配置され構成されている。【選択図】図１
2005301553.tif 000002
【特許請求の範囲】
【請求項１】
通信用アンテナと半導体部品を収納した本体部とＴ字型突起及び２つの突起を有し、前記本体部は一部に直線形状の辺を有し、該辺中央部に前記Ｔ字型突起が接続され、該辺両端部に前記２つの突起が接続されたことを特徴とする非接触電子タグ。
【請求項２】
前記Ｔ字型突起と本体部との接続部付近に孔を有することを特徴とする請求項１に記載の非接触電子タグ。
【請求項３】
前記２つの突起に孔を有することを特徴とする請求項１に記載の非接触電子タグ。
【請求項４】
Ｔ字型突起の頭頂部端から、２つの突起内端の辺に対する垂直位置までの距離は１ｍｍより小さいか、または、垂直位置の外側に位置することを特徴とする請求項１に記載の非接触電子タグ。
【請求項５】
２つの突起の頭頂部からＴ字型突起下辺、または、下辺の延長線までの距離が1.5ｍｍ以下であることを特徴とする請求項１または２に記載の非接触電子タグ。
【請求項６】
前記Ｔ字型突起と本体部との接続部付近の孔の直径は３ｍｍ以上であることを特徴とする請求項３に記載の非接触電子タグ。
【請求項７】
２つの突起の有する孔の直径は２ｍｍ以上であることを特徴とする請求項４に記載の非接触電子タグ。
【発明の詳細な説明】
【技術分野】
【０００１】
本発明は、非接触電子タグの構造に関し、特に指輪、ピアス等の宝飾品に用いるに好適な非接触電子タグに関するものである。
【背景技術】
【０００２】
現在、物品の流通、在庫、販売管理等に非接触電子タグを用いる提案が各種なされており、また、非接触電子タグの構造についても対象となる物品により各種提案がなされている。
【０００３】
指輪、ピアス等の宝飾品についても同様であり、今般、本願特許出願人は指輪、ピアス等の宝飾品に適用可能な下記特許文献１に係る非接触タグを出願したところである。図７は下記特許文献１に記載された先行特許出願に係る従来の非接触電子タグの構造とその適用例を示す図であり、宝飾品の代表例である指輪を例に、それへの適用例を示すものである。
【０００４】
図７に示すように、先行特許出願に係る従来の非接触電子タグ400は、矩形形状の本体部410、突起420を有し、本体部410は直線形状の辺411を有し、突起420は頭頂部421と接続部422を有し、接続部422は辺411の中央部に接続され、かつ、頭頂部421は両端に下垂部423、424を有し、下垂部423、424及び頭頂部421には夫々孔425、426、427が配置され構成されている。
【０００５】
このように構成された先行特許出願に係る従来の非接触電子タグ400において、接続部422は指輪200のリング部を貫通し、かつ、下垂部423、424が指輪200を外周より抑え、脱落を防止するよう取り付けられる。指輪200と先行特許出願に係る従来の非接触電子タグ400は一体となって取り扱われことにより、流通、在庫、販売管理等における指輪の識別に利用されている。
【０００６】
また、孔425、426はピアスを取り付けるために配置されたものであり、更に、孔427はネックレス等に糸等を用いて先行特許出願に係る従来の非接触電子タグ400を取り付けるために配置されている。
【特許文献１】特願2004-77647
【発明の開示】
【発明が解決しようとする課題】
【０００７】
このように構成された先行特許出願に係る従来の非接触電子タグは、指輪への取り付けにおいて、幾つかの不具合を生じるという問題があった。
【０００８】
第一に、非接触電子タグを構成する通信用アンテナと半導体部品は本体部に収納されているが、指輪への取り付けにおいて、本体部は、極端に曲げなければならず、非接触電子タグを構成する電子部品に損傷を与えてしまうと言う欠点を有している。
【０００９】
図８は図７の先行特許出願に係る従来の非接触電子タグ400を指輪200に取り付ける手順を示す図である。手順の順番は、図８(ａ)が始めの手順で、図８(ｂ)がその次の手順で、図８(ｃ)が最後の手順を示している。
【００１０】
図８(ａ)では、Ｔ字型突起の両端を曲げ、指輪200のリング部に通し、次いで図８(ｂ)では、非接触電子タグの本体部を曲げ、その一部を指輪200のリング部に通し、一旦、指輪200をＴ字型突起頭頂部端の下垂部より下げ、更に図８(ｃ)では、指輪200をＴ字型突起方向へ押し上げ、指輪200をＴ字型突起下垂部と接続部の間に挟みこんでいる。
【００１１】
図８に示した手順によれば、非接触電子タグの本体部は、一端、指輪のリング部に押し込まれるため、非接触電子タグの本体部に収納される非接触電子タグの構成部品である通信用アンテナと半導体部品は極度に曲げられ、損傷を受けることがある。
【００１２】
第二に、頭頂部に設けられた孔の周囲は他に比べ幅が狭く、Ｔ字型突起側より指輪に通した場合、頭頂部の付け根付近、即ち、孔の周囲の強度が不足し、折れ曲がると言う欠点を有している。
【００１３】
すなわち、図８(ａ)においてＴ字型突起の両端は極度に曲げられ、指輪200のリング部に押し込まれるが、この際、図８(ｂ)に示す、孔427の周辺、Ｘ−Ｙ、またはＹ−Ｚ間に大きな曲げ応力が掛かる。このため、Ｘ−Ｙ、Ｙ−Ｚ付近に折れ目が入り、原状に回復しなくなる。
【課題を解決するための手段】
【００１４】
本発明による非接触電子タグは、通信用アンテナと半導体部品を収納した本体部とＴ字型突起及び２つの突起を有し、前記本体部は一部に直線形状の辺を有し、該辺中央部に前記Ｔ字型突起が接続され、該辺両端部に前記２つの突起を有することにより、Ｔ字型突起のみを指輪に通すことにより指輪に取り付けられるよう構成されている。
【００１５】
また、Ｔ字型突起と本体部との接続部付近に孔を有することにより、頭頂部の強度を損なうことなく、宝飾品がネックレスやブレスレットであっても取り付け紐により取り付けられるよう、また、ピアスの展示フックにも掛けられるようにしている。
【００１６】
また、２つの突起に孔を有することにより、ピアスにも取り付けられるようにしている。
【００１７】
Ｔ字型突起の頭頂部端から、２つの突起内端の辺に対する垂直位置までの距離は１ｍｍより小さいか、または、垂直位置の外側に位置するよう配置され、Ｔ字型突起が指輪リング部から抜けるのを防ぐよう構成されている。
【００１８】
２つの突起の頭頂部からＴ字型突起下辺、または、下辺の延長線までの距離を1.5ｍｍ以下とし、指輪が、突起の頭頂部とＴ字型突起下辺との隙間から抜け落ちないよう構成されている。
【００１９】
Ｔ字型突起と本体部との接続部付近の孔の直径は３ｍｍ以上とし、一般に用いられる特殊な接続部を有するプラスチックケーブル等によって一般の物品に取り付けられるようにしている。
【００２０】
突起部の孔の直径を２ｍｍ以上にするよう構成し、一般宝飾品において最も太いピアスにも取り付けられるようにしている。
【発明の効果】
【００２１】
本発明によれば、第一に、非接触電子タグの主要部品である通信用アンテナ、半導体部品等の収納部を曲げることなく、非接触電子タグを指輪に取り付けることが可能となる。
【００２２】
第二に一般に指輪のような宝飾品と一緒に流通、販売されるピアスにも好適な非接触電子タグ構造を提供し得る利点を有する。
【００２３】
第三に、同様に一般に指輪のような宝飾品と一緒に流通、販売されるネックレスを始め、一般の物品にも好適であり、かつ、非接触電子タグの強度を損なうことのない、非接触電子タグ構造を提供し得る利点を有する。
【発明を実施するための最良の形態】
【００２４】
本発明による非接触電子タグは、非接触電子タグの本体部にＴ字型突起と二つの突起を加え、Ｔ字型突起の頭頂部と、残る２つ突起により非接触電子タグを指輪に取り付け固定する構成を有している。
【００２５】
また、突起部に孔を有し、ピアスにも取り付け可能とするとともに、Ｔ字型突起と本体部及び接続部にも孔を有し、ネックレス、ブレスレット等にあっては、糸、紐、プラスチックケーブルによる物品への取り付けをも可能とし、更に、ピアスへの取り付け時には、展示用フックへの吊り下げも可能にしている。
【実施例１】
【００２６】
図１は本発明の第１の実施形態に係る非接触電子タグの構造とその適用例を示す図であり、図１（ａ）は側面図、図１（ｂ）は上面図である。
【００２７】
図１に示すように本発明の第１の実施形態に係る非接触電子タグ100は、本体部110、Ｔ字型突起120、二つの突起112、113、通信用アンテナ130、半導体部品140を有し、本体部110は更に直線の辺111を有し、Ｔ字型突起120は頭頂部121と接続部122により構成され、Ｔ字型突起120の頭頂部121は接続部122により本体部110の直線の辺111中央に接続され、二つの突起112、113はそれぞれ直線の辺111の両端に接続され、通信用アンテナ130、半導体部品140は本体部110に収納されるよう構成されている。
【００２８】
このように構成された本発明の第１の実施形態に係る非接触電子タグ100は、Ｔ字型突起120の接続部122を指輪200のリング部に通して非接触電子タグ100を取り付け、更に、二つの突起112、113により指輪200を外周より押さえて固定する。
【００２９】
図２は図１に示した本発明の第１の実施形態において非接触電子タグ100を指輪200に取り付ける手順を示す図である。手順の順番は、図２(ａ)が始めの手順で、図２(ｂ)が次の手順で、図２(ｃ)が最後の手順を示している。
【００３０】
図２(ａ)では、指輪200の一部が非接触電子タグ100のＴ型突起端と本体部に接続された２つの突起の隙間に通され、次いで図２(ｂ)では、指輪200は非接触電子タグ100の背面方向に倒され、更に図２(ｃ)では、指輪200の一部はＴ字型突起と２つの突起に挟まれ、非接触電子タグ100は指輪200に固定される。
【００３１】
図２の手順によれば、非接触電子タグ100の本体部は指輪への取り付けに際し、極度に曲げられることはなく、通信用アンテナ、半導体部品に損傷を与えることがない。
【実施例２】
【００３２】
図３は本発明の第２の実施形態に係る非接触電子タグの構造を示す図である。
【００３３】
図３に示すように本発明の第２の実施形態に係る非接触電子タグ100は、上記第１の実施形態に係る非接触電子タグと同様に、本体部110、Ｔ字型突起120、２つの突起112、113を有し、また本体部110は直線の辺111を有している。Ｔ字型突起120は頭頂部121と接続部122により構成され、Ｔ字型突起120の頭頂部121は接続部122により本体部110の辺111に接続され、２つの突起112、113はそれぞれ孔114、115を有し、直線の辺111の両端に接続され構成されている。なお、簡略化のため通信用アンテナ、半導体部品の記述は省略している。
【００３４】
このように構成された本発明の第２の実施形態に係る非接触電子タグ100の指輪200への取り付け方法、その効果は図１に示した第１の実施形態と同様であり、詳細な説明は省略する。図３に示した第２の実施形態において、宝飾品が図６に示すようなピアスである場合にピアス300の針部320を孔114、115に通し、ピアスに添付することが可能となる。一般にピアスは宝飾品として指輪と同様の流通経路、販売店舗で扱われるため、同一形状の非接触電子タグが指輪、ピアスに兼用できることは実用上の利便性を高める効果を有する。
【実施例３】
【００３５】
図４は本発明の第３の実施形態に係る非接触電子タグの構造を示す図である。
【００３６】
図４に示すように本発明の第３の実施形態に係る非接触電子タグ100は、上記第２の実施形態に係る非接触電子タグと同様に、本体部110、Ｔ字型突起120、２つの突起112、113を有し、また本体部110は直線の辺111を有している。Ｔ字型突起120は頭頂部121と接続部122により構成され、Ｔ字型突起120の頭頂部121は接続部122により本体部110の辺111に接続され、２つの突起112、113はそれぞれ孔114、115を有し、直線の辺111の両端に接続され、更に、Ｔ字型突起120の接続部122と直線の辺111の接続点に孔123を配置し構成されている。なお、簡略化のため通信用アンテナ、半導体部品の記述は省略している。
【００３７】
このように構成された本発明の第３の実施形態に係る非接触電子タグ100の指輪200への取り付け方法、その効果は図１及び図３に示した本発明の第１及び第２の実施形態と同様であり、また、孔114、115により宝飾品が図６に示すようなピアスである場合にピアスに添付することが可能となる点は図３に示した第２の実施形態と同様であり、詳細な説明は省略する。
【００３８】
更に、図４に示した第３の実施形態においては、Ｔ字型突起120の接続部122と直線の辺111の接続点に配置された孔123に糸、紐、プラスチックケーブル等を通し、ネックレス、ブレスレットのような宝飾品を始め、一般の物品に添付することが可能となる。特に、一般にネックレス等はピアス同様、宝飾品として指輪と同様の流通経路、販売店舗で扱われるため、同一形状の非接触電子タグが指輪、ピアスに兼用できることは実用上の利便性を高める効果を有する。
【００３９】
また、図４に示した第３の実施形態の非接触電子タグには以下に説明する主要な寸法が表記されている。すなわち非接触電子タグ100のＴ字型突起120の頭頂部121端より２つの突起112、113の内端までの幅をＷ１、２つの突起112、113の上端よりＴ字型突起120の頭頂部121下端までの高さをＨ１、本体部110の直線の辺111とＴ字型突起120の頭頂部121下端までの高さＨ２で示し、孔114、115の直径をＰ１で示し、Ｔ字型突起120の接続部122と直線の辺111の接続点に配置された孔123の直径をＰ２で示している。
【００４０】
ここで、宝飾品の代表例である指輪、ピアスの主要寸法を紹介しておく。
【００４１】
図５は指輪の寸法を説明する図であり、図５（ａ）は正面図、図５（ｂ）は側面図である。
【００４２】
指輪200の肉厚をＴ２で示し、最小は１ｍｍであり、さらに幅をＷ２で示し、最小は1.5ｍｍ、最大は12ｍｍである。
【００４３】
図６はピアスの寸法を説明する図であり、ピアス300は頭頂部310、針部320により構成され、頭頂部310、針部320は相互に接続され構成されている。ここで、針部320の直径はＰ４で示され、一般にＰ４の最大径は２ｍｍである。
【００４４】
図５、図６に示されるように宝飾品の代表例である指輪、ピアスの外形寸法を参照すれば、図４の本発明の第３の実施形態に示した非接触電子タグ100のＴ字型突起120の頭頂部121端より２つの突起112、113の内端までの幅Ｗ１は、指輪の脱落を防止するために図５に示される指輪200の肉厚の最小値１ｍｍ以上を必要とする。
【００４５】
更に、２つの突起112、113の上端よりＴ字型突起120の頭頂部121下端までの高さＨ１は、指輪の脱落を防止するために図５に示される指輪200の幅の最小値1.5ｍｍが限界である。それ以上であると指輪の脱落を防止できなくなる。
【００４６】
また、本体部110の直線の辺111とＴ字型突起120の頭頂部121下端までの高さＨ２は、指輪200の幅Ｗ２より大きくなければならないので、幅Ｗ２の最大値12ｍｍが最小値となる。
【００４７】
更に、孔114、115の直径Ｐ１は図６に示されるピアス300の針部320が通らねばならないのでその直径Ｐ４の最大径２ｍｍが最小値であり、Ｔ字型突起120の接続部122と直線の辺111の接続点に配置された孔123の直径Ｐ２は一般の糸、紐、プラスチップケーブル等、特に接続構造を有するプラスチップケーブル（図示せず）の接続部が通らねばならないので、３ｍｍ程度が最小値となる。
【産業上の利用可能性】
【００４８】
本発明によれば宝飾品の物流、在庫、販売管理に好適な非接触電子タグを提供することが可能となり、特に、同一形状で指輪、ピアス、ネックレス、ブレスレットと言った宝飾品の主要製品に適用可能なことから、非接触電子タグの調達、保管、運用においても一元化が可能となることから、高い利便性を提供することが可能となる。
【００４９】
また、宝飾品への取り付けにおいて、非接触電子タグの構成部品である、通信用アンテナ、半導体部品を収納する本体部を極度に曲げることなく、損傷を回避する有利性がある。
【図面の簡単な説明】
【００５０】
【図１】本発明の第１の実施形態に係る非接触電子タグの構造とその適用例を示す図、
【図２】本発明の第１の実施形態に係る非接触電子タグを指輪に取り付ける手順を示す図、
【図３】本発明の第２の実施形態に係る非接触電子タグの構造を示す図、
【図４】本発明の第３の実施形態に係る非接触電子タグの構造を示す図、
【図５】指輪の一般的外形寸法を説明するための図、
【図６】ピアスの一般的外形寸法を説明するための図、
【図７】先行特許出願に係る従来の非接触電子タグの構造とその適用例を示す図、
【図８】先行特許出願に係る従来の非接触電子タグを指輪に取り付ける手順を示す図である。
【符号の説明】
【００５１】
100  非接触電子タグ
110  本体部
111  直線の辺
112  突起
113  突起
114  孔
115  孔
120  Ｔ字型突起
121  頭頂部
122  接続部
123  孔
130  通信用アンテナ
140  半導体部品
200  指輪
300  ピアス
310  頭頂部
320  針部
【図１】
2005301553.tif 000003
【図２】
2005301553.tif 000004
【図３】
2005301553.tif 000005
【図４】
2005301553.tif 000006
【図５】
2005301553.tif 000007
【図６】
2005301553.tif 000008
【図７】
2005301553.tif 000009
【図８】
2005301553.tif 000010